Podtech/llm-jp-corpus-v4-ja_patent huggingface dataset:
【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
触媒プロセスのための１つ以上のモジュール式反応装置パネル（１、２９）、および前記パネル（１、２９）を収容する筐体（４７）を備えた反応装置（４５）であって、
前記パネル（１、２９）それぞれが、供給物ヘッダ（５）、生成物ヘッダ（７）、および互いに隣接する通路（３）を備え、
各通路（３）が、入口端から出口端まで延在する長さを有し、前記入口端が前記供給物ヘッダ（５）に開いて直接接続されており、前記出口端が前記生成物ヘッダ（７）に開いて直接接続されており、
前記供給物ヘッダ（５）が、供給物ライン（５１）への接続部を少なくとも１つ有し、
前記生成物ヘッダ（７）が、生成物ライン（５５）への接続部を少なくとも１つ有し、
前記供給物ヘッダ（５）と前記生成物ヘッダ（７）の内の少なくとも一方が取り外しでき、前記通路の端へのアクセスができるようになっており、
前記パネル（１、２９）それぞれは、前記供給物ヘッダ（５）および前記生成物ヘッダ（７）が前記通路（３）によってのみ保持されるように構成されている自立性モジュールであり、
前記反応装置（４５）が、さらに、前記供給物ライン（５１）および前記生成物ライン（５５）を備えたものであり、
前記パネル（１、２９）が、前記供給物ライン（５１）、および前記生成物ライン（５５）に接続されており、前記パネル（１、２９）は固定されることなく支えられていることを特徴とする反応装置。
【請求項２】
前記通路（３）が多くとも２列で配列され、各列が平らなまたは湾曲した面（３１）を画成し、該面が実質的に平行に延在することを特徴とする請求項１記載のパネル。
【請求項３】
前記パネル（１、２９）は矩形であり、前記通路は実質的に平行に延在することを特徴とする請求項１または２記載のパネル。
【請求項４】
各通路（３）の前記入口端および前記出口端の内の少なくとも一方は、スクリーン材（１７）で終端していることを特徴とする請求項１から３いずれか１項記載の反応装置。
【請求項５】
各通路（３）が、その長さの少なくとも一部に亘り、該通路に隣接する他の通路に接続されていることを特徴とする請求項１から４いずれか１項記載の反応装置。
【請求項６】
第１対の実質的に平行な外縁および該第１対の縁を接続する第２対の外縁により境を成す第１（３１，３３）と第２の平行板（３３，３１）から構成され、少なくとも前記第１の板（３１，３３）が、入口端と出口端を有する通路凹部（４１）および平らな接続ストリップ（３５）を交互に備え、前記ストリップ（３５）および凹部（４１）が前記第１対の縁に対して垂直に延在し、前記板が、少なくとも前記第２対の外縁および前記接続ストリップ（３５）に沿って互いに接続されて、前記第１の板（３１，３３）の前記通路凹部（４１）および前記第２の板（３３，３１）の対向する部分を前記通路（３）に結合しており、前記パネルがさらに、両方とも前記第１対の縁と実質的に平行に延在する供給物ヘッダ（５）および生成物ヘッダ（７）を備え、該供給物ヘッダ（５）が前記通路（３）の入口端に接続され、前記生成物ヘッダ（７）が前記通路（３）の出口端に接続されていることを特徴とする請求項１から５いずれか１項記載の反応装置。
【請求項７】
少なくとも前記第１の板（３１，３３）が、前記第１対の第１の縁に対して実質的に平行に、該第１の縁に直接沿ってまたは第１の平らな縁ストリップによりそこから隔てられて延在する供給物ヘッダ凹部と、前記第１の縁と反対の前記第１対の第２の縁に対して実質的に平行に、該第２の縁に直接沿ってまたは第２の平らな縁ストリップによりそこから離れて延在する生成物ヘッダ凹部とを有し、前記板が、前記縁ストリップ、前記接続ストリップで、前記外縁に沿って互いに接続されて、前記第１の板の前記供給物凹部、前記生成物凹部および前記通路凹部を、前記第２の板（３３，３１）の対向部分と組み合わせて、それぞれ、供給物ヘッダ（５）、生成物ヘッダ（７）および通路（３）を形成していることを特徴とする請求項６載の反応装置。
【請求項８】
前記供給物ヘッダ（５）および前記生成物ヘッダ（７）の内の少なくとも一方が、別個の部材として、前記通路（３）の対応する端部に接続されていることを特徴とする請求項６記載の反応装置。
【請求項９】
両方の板（３１，３３）が、前記凹部（４１）およびストリップ（３５）を鏡像位置で有し、一方の板の前記凹部およびストリップが、他方の板の鏡像の凹部およびストリップに面することを特徴とする請求項６から８いずれか１項記載の反応装置。
【請求項１０】
前記パネルに沿って加熱媒体または冷却媒体を輸送するための手段をさらに備えていることを特徴とする請求項１から９いずれか１項記載の反応装置。
【請求項１１】
前記パネルの通路（３）の実質的に全てが触媒を含有することを特徴とする請求項１から１０いずれか１項記載の反応装置。
【請求項１２】
前記触媒が固定床として前記通路（３）内に存在することを特徴とする請求項１１記載の反応装置。
【請求項１３】
前記筐体と前記反応装置パネルの間に熱遮断手段が存在することを特徴とする請求項１から１２いずれか１項記載の反応装置。
【請求項１４】
請求項１から１３いずれか１項記載の反応装置を使用して、不均一触媒発熱または吸熱反応を行う方法。
【手続補正書】
【提出日】平成28年8月3日(2016.8.3)
【手続補正１】
【補正対象書類名】明細書
【補正対象項目名】０００７
【補正方法】変更
【補正の内容】
【０００７】
本発明に係る遊技機は、特別遊技を行うか否かを判定し当該判定結果に基づいて特別遊技を制御する遊技制御部と、当該遊技制御部からの出力に基づいて演出を制御する演出制御部とを備える遊技機であって、前記遊技制御部は、前記特別遊技を行うと判定される確率が第１の確率に設定される低確率遊技状態、および、当該低確率遊技状態よりも前記特別遊技を行うと判定される確率が高い第２の確率に設定される高確率遊技状態のうち何れかの遊技状態を設定する遊技状態設定手段と、所定条件が成立すると、取得情報を取得する取得手段と、始動条件が成立すると、前記遊技状態設定手段により設定されている遊技状態と前記取得手段により取得された取得情報とに基づいて、前記特別遊技を行うか否かを判定する特別遊技判定手段と、前記取得手段により取得された取得情報を所定数まで記憶可能な取得情報記憶手段と、前記始動条件が成立する前に、前記取得手段により取得された取得情報に基づいて、前記特別遊技を行うか否かの事前判定を行う事前判定手段と、前記事前判定手段による判定結果を示す判定結果情報を前記演出制御部に出力する出力手段と、前記事前判定手段による判定に用いられる判定テーブルであって、前記第１の確率で前記特別遊技を行うと判定するために用いられる第１の判定テーブルと、前記第２の確率で前記特別遊技を行うと判定するために用いられる第２の判定テーブルと、を記憶する判定テーブル記憶手段と、を備え、前記第２の判定テーブルには、前記第１の判定テーブルに含まれる前記特別遊技を行うと判定されるための判定情報が含まれ、前記遊技制御部は、前記事前判定として、前記遊技状態設定手段により設定されている遊技状態を判定せずに、前記第１の判定テーブルと前記取得情報とを用いて、前記特別遊技を行うか否かの第１事前判定を行うことが可能であり、前記第１事前判定において前記特別遊技を行わないと判定された場合、前記事前判定として、前記第２の判定テーブルと前記取得情報とを用いて、前記特別遊技を行うか否かの第２事前判定を行うことが可能であり、前記第１事前判定において前記特別遊技を行うと判定された場合、前記遊技状態設定手段により設定されている遊技状態を判定せずに、前記特別遊技を行うと判定されたことを示す判定結果情報を含むコマンドを前記演出制御部に出力可能であり、前記第２事前判定において前記特別遊技を行うと判定された場合、前記遊技状態が前記高確率遊技状態か否かを判定し、前記遊技状態が前記高確率遊技状態である場合は前記特別遊技を行うと判定されたことを示す判定結果情報を含むコマンドを前記演出制御部に出力可能であり、前記第２事前判定において前記特別遊技を行わないと判定された場合、前記遊技状態を判定せずに、前記特別遊技を行わないと判定されたことを示す判定結果情報を含むコマンドを前記演出制御部に出力可能である。
【手続補正２】
【補正対象書類名】特許請求の範囲
【補正対象項目名】全文
【補正方法】変更
【補正の内容】
【特許請求の範囲】
【請求項１】
特別遊技を行うか否かを判定し当該判定結果に基づいて特別遊技を制御する遊技制御部と、当該遊技制御部からの出力に基づいて演出を制御する演出制御部とを備える遊技機であって、
前記遊技制御部は、
前記特別遊技を行うと判定される確率が第１の確率に設定される低確率遊技状態、および、当該低確率遊技状態よりも前記特別遊技を行うと判定される確率が高い第２の確率に設定される高確率遊技状態のうち何れかの遊技状態を設定する遊技状態設定手段と、
所定条件が成立すると、取得情報を取得する取得手段と、
始動条件が成立すると、前記遊技状態設定手段により設定されている遊技状態と前記取得手段により取得された取得情報とに基づいて、前記特別遊技を行うか否かを判定する特別遊技判定手段と、
前記取得手段により取得された取得情報を所定数まで記憶可能な取得情報記憶手段と、
前記始動条件が成立する前に、前記取得手段により取得された取得情報に基づいて、前記特別遊技を行うか否かの事前判定を行う事前判定手段と、
前記事前判定手段による判定結果を示す判定結果情報を前記演出制御部に出力する出力手段と、
前記事前判定手段による判定に用いられる判定テーブルであって、前記第１の確率で前記特別遊技を行うと判定するために用いられる第１の判定テーブルと、前記第２の確率で前記特別遊技を行うと判定するために用いられる第２の判定テーブルと、を記憶する判定テーブル記憶手段と、を備え、
前記第２の判定テーブルには、前記第１の判定テーブルに含まれる前記特別遊技を行うと判定されるための判定情報が含まれ、
前記遊技制御部は、
前記事前判定として、前記遊技状態設定手段により設定されている遊技状態を判定せずに、前記第１の判定テーブルと前記取得情報とを用いて、前記特別遊技を行うか否かの第１事前判定を行うことが可能であり、
前記第１事前判定において前記特別遊技を行わないと判定された場合、前記事前判定として、前記第２の判定テーブルと前記取得情報とを用いて、前記特別遊技を行うか否かの第２事前判定を行うことが可能であり、
前記第１事前判定において前記特別遊技を行うと判定された場合、前記遊技状態設定手段により設定されている遊技状態を判定せずに、前記特別遊技を行うと判定されたことを示す判定結果情報を含むコマンドを前記演出制御部に出力可能であり、
前記第２事前判定において前記特別遊技を行うと判定された場合、前記遊技状態が前記高確率遊技状態か否かを判定し、前記遊技状態が前記高確率遊技状態である場合は前記特別遊技を行うと判定されたことを示す判定結果情報を含むコマンドを前記演出制御部に出力可能であり、
前記第２事前判定において前記特別遊技を行わないと判定された場合、前記遊技状態を判定せずに、前記特別遊技を行わないと判定されたことを示す判定結果情報を含むコマンドを前記演出制御部に出力可能である、遊技機。
【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域に設けられた第１始動口と、
前記遊技領域の前記第１始動口とは異なる位置に設けられ、遊技球の入球容易性を高めるよう作動可能な入球変動機構を有する第２始動口と、
前記第１始動口への入球を契機として第１の当否抽選を実行する第１抽選手段と、
前記第２始動口への入球を契機として第２の当否抽選を実行する第２抽選手段と、
前記遊技領域に設けられて前記当否抽選の結果に応じて開放され、遊技球の入球が賞球付与の契機となる大入賞口と、
前記当否抽選の結果を示す図柄が変動表示される図柄表示装置と、
前記第１の当否抽選の結果を示す第１の図柄を変動表示させる第１表示制御手段と、
前記第２の当否抽選の結果を示す第２の図柄を変動表示させる第２表示制御手段と、
前記図柄の変動開始から停止までの変動表示過程が定められた複数種の変動パターンから前記当否抽選の結果に応じていずれかを抽選により選択するとともに、その選択において参照する選択基準として前記変動パターンと抽選値との対応関係が定められた変動パターン選択基準を複数保持する変動パターン決定手段と、
前記当否抽選の結果が大当りとなった場合に、前記大入賞口の開放を伴う単位遊技を所定の単位遊技回数に到るまで繰り返す特別遊技を実行する特別遊技制御手段と、
前記当否抽選の結果が小当りとなった場合に、前記大入賞口の開放を伴う単位遊技である小当り遊技を実行する小当り遊技制御手段と、
前記遊技領域に設けられた作動口と、
前記作動口への入球を契機として、前記入球変動機構を作動させるか否かを決定するための作動抽選を実行する作動抽選手段と、
前記作動抽選の結果を示すための普通図柄を変動表示させる普通図柄表示制御手段と、
前記作動抽選の結果が当りとなり、前記普通図柄が当りを示す態様で停止表示されたときに、前記入球変動機構を作動させる作動制御手段と、
前記当否抽選の結果が大当りとなった場合に、その特別遊技後に前記第２始動口への一定時間あたりの入球容易性を通常状態より高める入球容易状態へ移行させる一方、前記当否抽選の結果が特定の大当りとなった場合には、その特別遊技後に前記当否抽選の結果が大当りとなる確率を通常状態より高い確率変動状態へ移行させる特定遊技実行手段と、
を備え、
前記特別遊技の実行対象として、賞球獲得の期待がある第１の種類に属する複数の特別遊技と、賞球獲得の期待がない第２の種類に属する複数の特別遊技と、が設けられ、
前記特別遊技制御手段は、
第１の当否抽選の結果が大当りとなった場合には、その大当りの種類に応じて、前記第１の種類のうち前記第１の当否抽選の大当りに対応する特別遊技と前記第２の種類のうち前記第１の当否抽選の大当りに対応する特別遊技のいずれかを実行し、
第２の当否抽選の結果が大当りとなった場合には、その大当りの種類に応じて、前記第１の種類のうち前記第２の当否抽選の大当りに対応する特別遊技と前記第２の種類のうち前記第２の当否抽選の大当りに対応する特別遊技のいずれかを実行し、
前記特定遊技実行手段は、
第１の当否抽選および第２の当否抽選のいずれの大当りにも対応する前記第１の種類に属する特別遊技の場合、その終了後の遊技状態として、第１の当否抽選が大当りである場合には前記確率変動状態へ移行させる場合と移行させない場合とがある一方、第２の当否抽選が大当りである場合には必ず前記確率変動状態へ移行させ、
第１の当否抽選の大当りに対応する前記第１の種類に属する特別遊技の場合、その終了後の遊技状態として、前記確率変動状態へ移行させる場合と移行させない場合とがある一方、第２の当否抽選の大当りに対応する前記第１の種類に属する特別遊技の場合、その終了後の遊技状態として、必ず前記確率変動状態へ移行させる弾球遊技機。
【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
遊技を行なう遊技機であって、
計時手段の計時に応じたデータが所定条件を満たしたときに、発光態様を変更する発光態様変更手段と、
前記発光態様変更手段による発光態様の変更を予告する予告演出を実行する予告演出実行手段とを備える、遊技機。
【手続補正２】
【補正対象書類名】明細書
【補正対象項目名】０００５
【補正方法】変更
【補正の内容】
【０００５】
本発明の目的は、発光態様が変更されることを予告することである。
【手続補正３】
【補正対象書類名】明細書
【補正対象項目名】０００６
【補正方法】変更
【補正の内容】
【０００６】
（１）  遊技を行なう遊技機（パチンコ遊技機１）であって、
計時手段の計時に応じたデータが所定条件を満たしたときに、発光態様を変更する発光態様変更手段と、
前記発光態様変更手段による発光態様の変更を予告する予告演出を実行する予告演出実行手段とを備える。
【手続補正４】
【補正対象書類名】明細書
【補正対象項目名】０００７
【補正方法】変更
【補正の内容】
【０００７】
このような構成によれば、予告演出が実行されることにより、発光態様が変更されることを予告することができる。
【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
所定の遊技を行うことが可能な遊技機であって、
制御を行う際に発生する変動データを記憶する変動データ記憶手段と、
遊技機への電力供給が停止していても前記変動データ記憶手段の記憶内容を所定期間保持させることが可能な記憶内容保持手段と、
操作に応じて操作信号を出力する初期化操作手段と、
電力供給が開始され、前記初期化操作手段からの前記操作信号が入力されたときに、前記変動データ記憶手段の記憶内容を初期化する初期化処理を実行する初期化処理実行手段と、
所定のエラーが発生しているか否かを判定するエラー判定手段と、
遊技機に設けられている制御基板を覆って保護するためのカバー部材の表面よりも前記制御基板が設けられている側に位置し、遊技機の外部に信号を出力する信号線を接続するための複数の端子が設けられた端子盤と、
前記端子盤が設けられたターミナル基板を覆って保護するためのターミナル基板用カバーと、
少なくとも、前記初期化処理実行手段によって前記初期化処理が実行されたこと、および前記エラー判定手段によって前記所定のエラーが発生していると判定されたことを含む所定の信号出力条件が成立したことに基づいて、前記端子を介して遊技機の外部に所定の外部出力信号を出力する外部出力手段と、を備え、
前記外部出力手段は、
前記初期化処理実行手段によって前記初期化処理が実行されたときと前記エラー判定手段によって前記所定のエラーが発生していると判定されたときとで、共通の端子から前記所定の外部出力信号を出力し、
前記所定の外部出力信号を出力しているときに新たに前記所定の信号出力条件が成立した場合には、前記所定の外部出力信号を出力する出力時間を延長し、
前記共通の端子は、基準電位の入力部と前記外部出力信号の入力部とを含むとともに、２つの端子を１のセットとして構成され、前記信号線を開放するための摘み部が端子ごとに設けられ、
前記摘み部は、相互に互い違いになるように配置されており、
前記ターミナル基板用カバーは、前記摘み部を操作するための開口部を有している、
ことを特徴とする遊技機。
【手続補正２】
【補正対象書類名】明細書
【補正対象項目名】０００７
【補正方法】変更
【補正の内容】
【０００７】
上記目的を達成するため、本発明の第１の観点に係る遊技機は、所定の遊技を行うことが可能な遊技機（例えばパチンコ遊技機１やスロットマシン６０１など）であって、制御を行う際に発生する変動データを記憶する変動データ記憶手段（例えばＲＡＭ５５など）と、遊技機への電力供給が停止していても前記変動データ記憶手段の記憶内容を所定期間保持させることが可能な記憶内容保持手段（例えばバックアップ電源回路５０８やバックアップＲＡＭとしてのＲＡＭ５５など）と、操作に応じて操作信号（例えばクリア信号など）を出力する初期化操作手段（例えばクリアスイッチ９１４など）と、電力供給が開始され、前記初期化操作手段からの前記操作信号が入力されたときに、前記変動データ記憶手段の記憶内容を初期化する初期化処理を実行する初期化処理実行手段（例えばステップＳ１０，Ｓ１１の処理を実行するＣＰＵ５６など）と、所定のエラーが発生しているか否かを判定するエラー判定手段（例えばステップＳ１２１〜Ｓ１２６の処理を実行するＣＰＵ５６など）と、遊技機に設けられている制御基板を覆って保護するためのカバー部材の表面よりも前記制御基板が設けられている側に位置し、遊技機の外部に信号を出力する信号線を接続するための複数の端子が設けられた端子盤と、前記端子盤が設けられたターミナル基板を覆って保護するためのターミナル基板用カバーと、少なくとも、前記初期化処理実行手段によって前記初期化処理が実行されたこと、および前記エラー判定手段によって前記所定のエラーが発生していると判定されたことを含む所定の信号出力条件が成立したことに基づいて、前記端子を介して遊技機の外部に所定の外部出力信号（例えばセキュリティ信号など）を出力する外部出力手段（例えばステップＳ１３，Ｓ１２７の処理のいずれかを実行した後に、ステップＳ１０６９〜Ｓ１０７４，Ｓ１１００，Ｓ１１０１の処理を実行するＣＰＵ５６など）と、を備え、前記外部出力手段は、前記初期化処理実行手段によって前記初期化処理が実行されたときと前記エラー判定手段によって前記所定のエラーが発生していると判定されたときとで、共通の端子（例えばターミナル基板１６０に設けられたコネクタＣＮ８など）から前記所定の外部出力信号を出力し（例えばＣＰＵ５６は、ステップＳ１３，Ｓ１２７，Ｓ１０６９〜Ｓ１０７４，Ｓ１１００，Ｓ１１０１の処理を実行して、ターミナル基板１６０のコネクタＣＮ８から共通のセキュリティ信号を外部出力させる）、前記所定の外部出力信号を出力しているときに新たに前記所定の信号出力条件が成立した場合には、前記所定の外部出力信号を出力する出力時間を延長し（例えばＣＰＵ５６は、ステップＳ１２１〜Ｓ１２６の処理を実行して始動入賞口１４への異常入賞を検出した場合には、セキュリティ信号の出力中であるか否かにかかわらず、ステップＳ１２７の処理を実行してセキュリティ信号情報タイマの値を上書きする）、前記共通の端子は、基準電位の入力部と前記外部出力信号の入力部とを含むとともに、２つの端子を１のセットとして構成され、前記信号線を開放するための摘み部が端子ごとに設けられ、前記摘み部は、相互に互い違いになるように配置されており、前記ターミナル基板用カバーは、前記摘み部を操作するための開口部を有している。
【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
板状に形成されて前面側に所定の遊技領域が形成されるベース部材と、
前記遊技領域に設けられた遊技球が通過可能な始動入賞口を有する始動入賞装置と、
前記遊技領域に設けられ、遊技球が通過可能な開閉入賞口が形成された入賞部材および、前記始動入賞口への遊技球の入球に応じて前記開閉入賞口を開閉可能な入賞口開閉部材を有する開閉型入賞装置とを備えた弾球遊技機の遊技盤であって、
前記入賞部材に、遊技球が通過可能に常に開放された一般入賞口を有し、前記始動入賞口への遊技球の入球を条件に実行される当否判定に係わらない一般入賞装置が一体的に形成されており、
前記ベース部材の後面側に前記開閉型入賞装置と別体に設けられ、前記開閉入賞口を通過した遊技球を流下させる裏球通路が形成された球通路部材を備え、
前記裏球通路は、前記裏球通路を流下する遊技球が所定の通過口もしくは排出口のいずれか一方を選択的に通過するように形成され、前記裏球通路を流下する遊技球が前記通過口を通過すると、前記弾球遊技機において、前記始動入賞口への遊技球の入球を条件に実行される当否判定の当選確率が所定の当選確率よりも高確率である高確率抽選状態となるように構成されており、
前記球通路部材に、前記通過口を通過する遊技球を検出する通過センサが設けられ、
前記遊技領域における前記球通路部材の前方に、前記裏球通路における前記通過口を含む領域と前記通過センサを前方から視認可能な視認可能部が設けられることを特徴とする弾球遊技機の遊技盤。
【手続補正２】
【補正対象書類名】明細書
【補正対象項目名】０００７
【補正方法】変更
【補正の内容】
【０００７】
このような目的達成のため、本発明に係る弾球遊技機の遊技盤は、板状に形成されて前面側に所定の遊技領域が形成されるベース部材と、前記遊技領域に設けられた遊技球が通過可能な始動入賞口を有する始動入賞装置と、前記遊技領域に設けられ、遊技球が通過可能な開閉入賞口が形成された入賞部材および、前記始動入賞口への遊技球の入球に応じて前記開閉入賞口を開閉可能な入賞口開閉部材を有する開閉型入賞装置とを備えた弾球遊技機の遊技盤であって、前記入賞部材に、遊技球が通過可能に常に開放された一般入賞口を有し、前記始動入賞口への遊技球の入球を条件に実行される当否判定に係わらない一般入賞装置が一体的に形成されており、前記ベース部材の後面側に前記開閉型入賞装置と別体に設けられ、前記開閉入賞口を通過した遊技球を流下させる裏球通路が形成された球通路部材を備え、前記裏球通路は、前記裏球通路を流下する遊技球が所定の通過口もしくは排出口のいずれか一方を選択的に通過するように形成され、前記裏球通路を流下する遊技球が前記通過口を通過すると、前記弾球遊技機において、前記始動入賞口への遊技球の入球を条件に実行される当否判定の当選確率が所定の当選確率よりも高確率である高確率抽選状態となるように構成されており、前記球通路部材に、前記通過口を通過する遊技球を検出する通過センサが設けられ、前記遊技領域における前記球通路部材の前方に、前記裏球通路における前記通過口を含む領域と前記通過センサを前方から視認可能な視認可能部が設けられる。
【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果が導出される前に、入賞について発生を許容するか否かを決定する事前決定手段と、
第１の演出と該第１の演出の実行後に継続条件が成立したときに実行される第２の演出とからなる特定演出を実行する特定演出実行手段と、
待機条件が成立したときに該待機条件が成立する前の演出態様を待機用の演出態様に変更する待機演出を実行する待機演出実行手段と、
ゲームを進行させる第１の操作を受け付ける第１の操作受付手段と、
前記第１の操作受付手段による前記第１の操作の受け付け後、さらにゲームを進行させる第２の操作を受け付ける第２の操作受付手段と、
を備え、
前記待機演出実行手段は、前記第１の演出の実行後、前記継続条件が成立する前に前記待機条件が成立したときに前記待機演出を実行し、
前記特定演出実行手段は、
前記第１の演出の実行後、前記第２の演出が実行される前に前記待機演出が実行されなかった場合には、前記第２の操作が受け付けられたことを契機に前記第２の演出を開始し、
前記第１の演出の実行後、前記第２の演出が実行される前に前記待機演出が実行された場合には、前記第１の操作が受け付けられたことを契機に前記第１の演出の内容を反映した反映演出を実行し、前記第２の操作が受け付けられたことを契機に前記第２の演出を実行する、スロットマシン。
【請求項２】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果が導出される前に、入賞について発生を許容するか否かを決定する事前決定手段と、
第１の演出と該第１の演出の実行後に継続条件が成立したときに実行される第２の演出とからなる特定演出を実行する特定演出実行手段と、
待機条件が成立したときに該待機条件が成立する前の演出態様を待機用の演出態様に変更する待機演出を実行する待機演出実行手段と、
ゲームを進行させる第１の操作を受け付ける第１の操作受付手段と、
前記第１の操作受付手段による前記第１の操作の受け付け後、さらにゲームを進行させる第２の操作を受け付ける第２の操作受付手段と、
を備え、
前記待機演出実行手段は、前記第１の演出の実行後、前記継続条件が成立する前に前記待機条件が成立したときに前記待機演出を実行し、
前記特定演出実行手段は、
前記第１の演出の実行後、前記第２の演出が実行される前に前記待機演出が実行されなかった場合には、前記第１の操作が受け付けられたときに前記第２の演出を開始し、
前記第１の演出の実行後、前記第２の演出が実行される前に前記待機演出が実行された場合には、前記待機演出が実行されていて、かつ、前記第１の操作が受け付けられたときに前記第１の演出の内容を反映した反映演出を実行し、前記第２の操作が受け付けられたときに前記第２の演出を実行する、スロットマシン。
【手続補正２】
【補正対象書類名】明細書
【補正対象項目名】００１０
【補正方法】変更
【補正の内容】
【００１０】
上記課題を解決するために、本発明の請求項１に記載のスロットマシンは、
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果が導出される前に、入賞について発生を許容するか否かを決定する事前決定手段と、
第１の演出と該第１の演出の実行後に継続条件が成立したことを契機に実行される第２の演出とからなる特定演出を実行する特定演出実行手段と、
待機条件が成立したときに該待機条件が成立する前の演出態様を待機用の演出態様に変更する待機演出を実行する待機演出実行手段と、
ゲームを進行させる第１の操作を受け付ける第１の操作受付手段と、
前記第１の操作受付手段による前記第１の操作の受け付け後、さらにゲームを進行させる第２の操作を受け付ける第２の操作受付手段と、
を備え、
前記待機演出実行手段は、前記第１の演出の実行後、前記継続条件が成立する前に前記待機条件が成立したときに前記待機演出を実行し、
前記特定演出実行手段は、
前記第１の演出の実行後、前記第２の演出が実行される前に前記待機演出が実行されなかった場合には、前記第２の操作が受け付けられたことを契機に前記第２の演出を開始し、
前記第１の演出の実行後、前記第２の演出が実行される前に前記待機演出が実行された場合には、前記第１の操作が受け付けられたことを契機に前記第１の演出の内容を反映した反映演出を実行し、前記第２の操作が受け付けられたことを契機に前記第２の演出を実行する
ことを特徴としている。
本発明の請求項２に記載のスロットマシンは、
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果が導出される前に、入賞について発生を許容するか否かを決定する事前決定手段と、
第１の演出と該第１の演出の実行後に継続条件が成立したときに実行される第２の演出とからなる特定演出を実行する特定演出実行手段と、
待機条件が成立したときに該待機条件が成立する前の演出態様を待機用の演出態様に変更する待機演出を実行する待機演出実行手段と、
ゲームを進行させる第１の操作を受け付ける第１の操作受付手段と、
前記第１の操作受付手段による前記第１の操作の受け付け後、さらにゲームを進行させる第２の操作を受け付ける第２の操作受付手段と、
を備え、
前記待機演出実行手段は、前記第１の演出の実行後、前記継続条件が成立する前に前記待機条件が成立したときに前記待機演出を実行し、
前記特定演出実行手段は、
前記第１の演出の実行後、前記第２の演出が実行される前に前記待機演出が実行されなかった場合には、前記第１の操作が受け付けられたときに前記第２の演出を開始し、
前記第１の演出の実行後、前記第２の演出が実行される前に前記待機演出が実行された場合には、前記待機演出が実行されていて、かつ、前記第１の操作が受け付けられたときに前記第１の演出の内容を反映した反映演出を実行し、前記第２の操作が受け付けられたときに前記第２の演出を実行する
ことを特徴としている。
【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
ケラチノサイトにおいて、セリンラセマーゼの活性若しくは発現量、及び/又はＤ−セリン量を指標とする、皮膚のバリア機能亢進薬剤のスクリーニング方法。
【請求項２】
以下の：
ケラチノサイトに、候補薬剤を添加する工程、
ケラチノサイトにおいてセリンラセマーゼの活性若しくは発現量、及び/又はＤ−セリン量を測定する工程、
セリンラセマーゼ発現量若しくは活性、及び/又はＤ−セリン量から、候補薬剤の皮膚のバリア機能亢進作用を決定する工程
を含む、請求項１に記載のスクリーニング方法。
【請求項３】
ケラチノサイトを分化誘導する工程をさらに含む、請求項２に記載のスクリーニング方法。
【請求項４】
前記スクリーニング方法が、分化誘導されたケラチノサイトにおいて行われる、請求項１に記載のスクリーニング方法。
【請求項５】
セリンラセマーゼ発現量の測定が、セリンラセマーゼのｍＲＮＡ又はタンパク質の量を測定することにより行われる、請求項１〜４のいずれか一項に記載のスクリーニング方法。
【請求項６】
セリンラセマーゼ活性の測定が、セリンラセマーゼによる、基質の変換効率の測定もしくはＤ-アミノ酸生成物の量を測定することによる、請求項１〜４のいずれか一項に記載のスクリーニング方法。
【請求項７】
請求項１〜６のいずれか一項に記載のスクリーニング方法によって得られた、加水分解カラス麦タンパク、シロバナイガコウゾリナ抽出物、ピリドキサールリン酸、及びビタミンＢ6類からなる群から選ばれる１又は複数の物質を有効成分とするセリンラセマーゼ活性化剤。
【請求項８】
ヒト皮膚から単離した皮膚サンプルからセリンラセマーゼ活性若しくは発現量及び/又はＤ−セリン量を指標とする、皮膚バリア機能を評価する方法。
【請求項９】
以下の：
対象から単離された皮膚サンプルにおいて、セリンラセマーゼ活性若しくは発現量及び／又はＤ−セリン量を測定する工程、
セリンラセマーゼ活性若しくは発現量及び／又はＤ−セリン量から、対象の皮膚のバリア機能を決定する工程
を含む、請求項８に記載の皮膚バリア機能を評価する方法。
【請求項１０】
セリンラセマーゼ発現量の測定が、セリンラセマーゼのｍＲＮＡ又はタンパク質の量を測定することにより行われる、請求項８又は９に記載の皮膚バリア機能を評価する方法。
【請求項１１】
セリンラセマーゼ活性の測定が、セリンラセマーゼによる、基質の変換効率の測定もしくはＤ-アミノ酸生成物の量を測定することによる、請求項８又は９に記載の皮膚バリア機能を評価する方法。
【請求項１２】
請求項１〜６のいずれか一項に記載のスクリーニング方法によって得られた、加水分解カラス麦タンパク、シロバナイガコウゾリナ抽出物、ピリドキサールリン酸、及びビタミンＢ6類からなる群から選ばれる１又は複数の物質を含む皮膚のバリア機能亢進剤。
【手続補正書】
【提出日】平成28年2月19日(2016.2.19)
【手続補正１】
【補正対象書類名】明細書
【補正対象項目名】０００９
【補正方法】変更
【補正の内容】
【０００９】
上記の目的を達成するため、本発明によるアクセスポイント探索装置は、アクセスポイントを探索する探索手段を有するアクセスポイント探索装置であって、前記探索手段によって探索されたアクセスポイントに関する情報を第１の記憶領域に記憶する第１の制御手段と、前記第１の記憶領域に記憶されている前記アクセスポイントに関する情報を第２の記憶領域に記憶する第２の制御手段と、前記第２の記憶領域に記憶されている情報に基づいて、アクセスポイントの探索結果を表示する表示手段とを備え、前記第２の制御手段は、前記第２の記憶領域に記憶されている情報のうち、前記第１の記憶領域に記憶されている情報が示すアクセスポイントよりも電波強度が弱いアクセスポイントに関する情報を削除して、前記第１の記憶領域に記憶されている情報を前記第２の記憶領域に記憶することを特徴とする。
【手続補正２】
【補正対象書類名】明細書
【補正対象項目名】００１０
【補正方法】変更
【補正の内容】
【００１０】
本発明によるアクセスポイントの探索方法は、アクセスポイントを探索する探索ステップと、前記探索ステップで探索されたアクセスポイントに関する情報を第１の記憶領域に記憶する第１の記憶ステップと、前記第１の記憶領域に記憶されている前記アクセスポイントに関する情報を第２の記憶領域に記憶する第２の記憶ステップと、前記第２の記憶領域に記憶されている情報に基づいて、アクセスポイントの探索結果を表示部に表示する表示ステップとを有し、前記第２の記憶ステップにおいて、前記第２の記憶領域に記憶されている情報のうち、前記第１の記憶領域に記憶されている情報が示すアクセスポイントよりも電波強度が弱いアクセスポイントに関する情報を削除して、前記第１の記憶領域に記憶されている情報を前記第２の記憶領域に記憶することを特徴とする。
【手続補正３】
【補正対象書類名】特許請求の範囲
【補正対象項目名】全文
【補正方法】変更
【補正の内容】
【特許請求の範囲】
【請求項１】
アクセスポイントを探索する探索手段を有するアクセスポイント探索装置であって、
前記探索手段によって探索されたアクセスポイントに関する情報を第１の記憶領域に記憶する第１の制御手段と、
前記第１の記憶領域に記憶されている前記アクセスポイントに関する情報を第２の記憶領域に記憶する第２の制御手段と、
前記第２の記憶領域に記憶されている情報に基づいて、アクセスポイントの探索結果を表示する表示手段とを備え、
前記第２の制御手段は、前記第２の記憶領域に記憶されている情報のうち、前記第１の記憶領域に記憶されている情報が示すアクセスポイントよりも電波強度が弱いアクセスポイントに関する情報を削除して、前記第１の記憶領域に記憶されている情報を前記第２の記憶領域に記憶することを特徴とするアクセスポイント探索装置。
【請求項２】
前記第２の記憶領域に記憶されている前記アクセスポイントに関する情報は、電波強度が強い順番にソートされ、
前記第２の制御手段は、前記第１の記憶領域に記憶されている情報が示すアクセスポイントの電波強度と、前記第２の記憶領域の末尾に記憶されている情報が示すアクセスポイントの電波強度とを比較し、
当該比較の結果、前記第１の記憶領域に記憶されている情報が示すアクセスポイントの電波強度が、前記第２の記憶領域の末尾に記憶されている情報が示すアクセスポイントの電波強度より強い場合に、前記第２の制御手段は、前記第２の記憶領域の末尾に記憶されている情報を削除して、前記第１の記憶領域に記憶されている情報を前記第２の記憶領域に記憶することを特徴とする請求項１に記載のアクセスポイント探索装置。
【請求項３】
前記比較の結果、前記第１の記憶領域に記憶されている情報が示すアクセスポイントの電波強度が、前記第２の記憶領域の末尾に記憶されている情報が示すアクセスポイントの電波強度より弱い場合、前記第２の制御手段は、前記第１の記憶領域に記憶されている情報を前記第２の記憶領域に記憶しないことを特徴とする請求項２に記載のアクセスポイント探索装置。
【請求項４】
複数のチャンネルのうち、特定のチャンネルを対象としてアクセスポイントを探索するように前記探索手段に指示する指示手段を更に備え、
前記特定のチャンネルを対象としたアクセスポイントの探索結果に対する前記第２の制御手段の処理が完了した場合に、前記指示手段は、次のチャンネルを対象としてアクセスポイントを探索するように前記探索手段に指示することを特徴とする請求項１乃至３のいずれか１項に記載のアクセスポイント探索装置。
【請求項５】
前記アクセスポイントに関する情報は、ＳＳＩＤを含むことを特徴とする請求項１乃至４のいずれか１項に記載のアクセスポイント探索装置。
【請求項６】
前記アクセスポイント探索装置は、印刷を実行可能な画像形成装置であることを特徴とする請求項１乃至５のいずれか１項に記載のアクセスポイント探索装置。
【請求項７】
アクセスポイントを探索する探索ステップと、
前記探索ステップで探索されたアクセスポイントに関する情報を第１の記憶領域に記憶する第１の記憶ステップと、
前記第１の記憶領域に記憶されている前記アクセスポイントに関する情報を第２の記憶領域に記憶する第２の記憶ステップと、
前記第２の記憶領域に記憶されている情報に基づいて、アクセスポイントの探索結果を表示部に表示する表示ステップとを有し、
前記第２の記憶ステップにおいて、前記第２の記憶領域に記憶されている情報のうち、前記第１の記憶領域に記憶されている情報が示すアクセスポイントよりも電波強度が弱いアクセスポイントに関する情報を削除して、前記第１の記憶領域に記憶されている情報を前記第２の記憶領域に記憶することを特徴とするアクセスポイントの探索方法。
【請求項８】
請求項７に記載のアクセスポイントの探索方法をコンピュータに実行させるためのプログラム。
【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
互いに対向する一対の側辺および互いに対向する一対の端辺をそれぞれ有する１の平板部と、この１の平板部の側辺に連設される接合部とが交互にコルゲート状に屈曲形成されてなる熱交換器用のコルゲートフィンにおいて、
前記１の平板部は、その表面に、前記一対の側辺に対して斜め方向に延びる溝状凹部を備え、
前記溝状凹部は、第１溝状凹部と第２溝状凹部とを有し、
前記第１溝状凹部は、前記一対の側辺の間の部分を基点として、前記一対の側辺における一側の側辺から他側の側辺に向かう方向に斜めに延び、前記第２溝状凹部は、前記一対の側辺の間の部分を基点として、前記一対の側辺における他側の側辺から一側の側辺に向かう方向に斜めに延びることを特徴とするコルゲートフィン。
【請求項２】
前記第１溝状凹部は、前記一対の端辺における一側の端辺から他側の端辺に向かう方向に進むにつれて、前記一対の側辺における一側の側辺から他側の側辺に向かう方向に斜めに延び、
前記第２溝状凹部は、前記一対の端辺における一側の端辺から他側の端辺に向かう方向に進むにつれて、前記一対の側辺における他側の側辺から一側の側辺に向かう方向に斜めに延びる請求項１に記載のコルゲートフィン。
【請求項３】
前記溝状凹部は、所定のピッチ間隔で設けられている請求項１または２に記載のコルゲートフィン。
【請求項４】
請求項１から３のいずれかに記載のコルゲートフィンを備えることを特徴とする熱交換器。
【手続補正２】
【補正対象書類名】明細書
【補正対象項目名】００１２
【補正方法】変更
【補正の内容】
【００１２】
前記目的を達成するために、第１発明によるコルゲートフィンは、
互いに対向する一対の側辺および互いに対向する一対の端辺をそれぞれ有する１の平板部と、この１の平板部の側辺に連設される接合部とが交互にコルゲート状に屈曲形成されてなる熱交換器用のコルゲートフィンにおいて、
前記１の平板部は、その表面に、前記一対の側辺に対して斜め方向に延びる溝状凹部を備え、
前記溝状凹部は、第１溝状凹部と第２溝状凹部とを有し、
前記第１溝状凹部は、前記一対の側辺の間の部分を基点として、前記一対の側辺における一側の側辺から他側の側辺に向かう方向に斜めに延び、前記第２溝状凹部は、前記一対の側辺の間の部分を基点として、前記一対の側辺における他側の側辺から一側の側辺に向かう方向に斜めに延びることを特徴とするものである。
【手続補正３】
【補正対象書類名】明細書
【補正対象項目名】００１３
【補正方法】変更
【補正の内容】
【００１３】
第１発明において、前記第１溝状凹部は、前記一対の端辺における一側の端辺から他側の端辺に向かう方向に進むにつれて、前記一対の側辺における一側の側辺から他側の側辺に向かう方向に斜めに延び、
前記第２溝状凹部は、前記一対の端辺における一側の端辺から他側の端辺に向かう方向に進むにつれて、前記一対の側辺における他側の側辺から一側の側辺に向かう方向に斜めに延びる構成とすることができる（第２発明）。
また、第１発明または第２発明において、前記溝状凹部または筋状凸部は、所定のピッチ間隔で設けられているのが好ましい（第３発明）。
【手続補正４】
【補正対象書類名】明細書
【補正対象項目名】００１４
【補正方法】変更
【補正の内容】
【００１４】
次に、第４発明による熱交換器は、
第１発明から第３発明のいずれかの発明に係るコルゲートフィンを備えることを特徴とするものである。
【手続補正５】
【補正対象書類名】明細書
【補正対象項目名】００１５
【補正方法】変更
【補正の内容】
【００１５】
本発明のコルゲートフィンにおいては、一対の側辺が配される方向および一対の端辺が配される方向の２方向において、任意の切断面で２つ以上の溝状凹部が平板部に設けられる。これにより、一対の側辺が配される方向および一対の端辺が配される方向の２方向に沿う切断面の断面係数を大きくすることができ、平板部の剛性を高めることができる。
また、接合部には、平板部に設けられるような凹部または凸部が設けられない。これにより、平板部と接合部との間において剛性の差を大きく持たせることができ、平板部と接合部との境界部分で容易かつ確実に折り曲げることができる。
本発明のコルゲートフィンによれば、コルゲートフィンの製作時に予期しない箇所に曲がりが発生するのを確実に防止することができ、コルゲートフィンの形状寸法の誤差を小さく抑えることができる。
【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
Ｔｈ１促進アジュバントを含むか含まない、少なくとも２種のリボソームタンパク質を含むリーシュマニアのリボソームタンパク質抽出物を含む医薬組成物であって、該リーシュマニアのリボソームタンパク質抽出物が下記の抽出物のみを含む医薬組成物：
ａ）対象内に存在するとリーシュマニア症を引き起こすリーシュマニア属の各種（Ｌｅｉｓｈｍａｎｉａ ｓｐｅｃｉｅｓ）からのリーシュマニア細胞の溶解物；
ｂ）リーシュマニア細胞の溶解物を２回以上遠心分離したサイトゾル抽出物、最初の遠心分離は４℃、およそ３，０００×ｇで約２分実施され前記サイトゾル抽出物を生成し、続く遠心分離は得られた上澄みを４℃、およそ１３，０００×ｇで約１５分実施される；
ｃ）４℃、およそ９，０００ｒｐｍで約３０分、該サイトゾル抽出物を遠心分離したリボソームペレット；
ｄ）該リボソームペレットの再懸濁物；及び
ｅ）リボソームペレットの該再懸濁物の不連続なショ糖勾配による遠心分離物。
【請求項２】
リーシュマニアのリボソームタンパク質抽出物及びＴｈ１促進アジュバントからなる、請求項１に記載の医薬組成物。
【請求項３】
前記Ｔｈ１促進アジュバントがＣｐＧ ＯＤＮである、請求項１又は２に記載の医薬組成物。
【請求項４】
薬学的に許容されるアジュバント及び／又は担体をさらに含む、請求項１から３までのいずれか一項に記載の医薬組成物。
【請求項５】
前記組成物がワクチンである、請求項１から４までのいずれか一項に記載の医薬組成物。
【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
哺乳類の摘出した臓器の保存性を増強するための芳香族カチオン性ペプチドの使用であって、前記芳香族カチオン性ペプチドは式 D-Arg-2',6'-Dmt-Lys-Phe-NH2 により表される、使用。
【請求項２】
摘出した心臓を、前記ペプチドを含有する心筋保護溶液中に入れることを含む、請求項１記載の使用。
【手続補正書】
【提出日】平成28年3月23日(2016.3.23)
【手続補正１】
【補正対象書類名】特許請求の範囲
【補正対象項目名】全文
【補正方法】変更
【補正の内容】
【特許請求の範囲】
【請求項１】
式Ａ：
2015180657.tif 000001
（但し式中、Ｒは、それぞれ個別に、Ｈ、アセチル、ベンゾイル、アシル、ホスフェート、サルフェート、（アルコキシ）メチル、トリアリールメチル、（トリアルキル）シリル、（ジアルキル）（アリール）シリル、（アルキル）（ジアリール）シリル、または（トリアリール）シリルを表し；Ｘは、ＯまたはＳを表す）で表されるニコチンアミドリボシドまたはニコチンアミドリボシド類似体、またはその薬学的に許容可能なそれらの塩を含む、医薬組成物。
【請求項２】
障害を治療または防止する際に使用される医薬を製造するための、請求項１に記載の医薬組成物の使用。
【請求項３】
前記障害は、皺を含み、前記医薬組成物は、皮膚に投与される、請求項２に記載の使用。
【請求項４】
前記ニコチンアミドリボシドまたはニコチンアミドリボシド類似体は、前記医薬品組成物中の唯一の有効成分である、請求項１に記載の医薬組成物。
【請求項５】
前記ニコチンアミドリボシドまたはニコチンアミドリボシド類似体は、天然で発生する型でない、請求項１に記載の医薬組成物。
【請求項６】
１以上の薬学的に許容可能な担体をさらに含む、請求項１、４または５に記載の医薬組成物。
【請求項７】
前記１以上の薬学的に許容可能な担体は、糖類、任意に乳糖、ブドウ糖および／またはショ糖；でんぷん類、任意にコーンスターチおよび／またはいもでんぷん；セルロースおよびその誘導体、任意にカルボキシメチルセルロースナトリウム、エチルセルロースおよび／または酢酸セルロース；粉末トラガカント；麦芽；ゼラチン；タルク；医薬品添加物、任意にココアバターおよび／または座薬用ろう；油類、任意にピーナッツ油、綿実油、紅花油、ごま油、オリーブ油、コーン油および／または大豆油；グリコール、任意にプロピレングリコール；ポリオール、任意にグリセリン、ソルビトール、マンニトールおよび／またはポリエチレングリコール；エステル、任意にオレイン酸エチルおよび／またはラウリル酸エチル；寒天；緩衝剤、任意に水酸化マグネシウムおよび／または水酸化アルミニウム；アルギン酸；無発熱源水；等張生理食塩水；リンガー液；およびリン酸緩衝液からなる群から選択される、１以上の液体もしくは固体の充填剤、希釈剤、医薬品添加物、溶媒または封入剤である、請求項６に記載の医薬組成物。
【請求項８】
前記障害は、ストレス状態である、請求項２に記載の使用。
【請求項９】
前記障害は、細胞死または老化に関連する障害である、請求項２に記載の使用。
【請求項１０】
前記ストレス状態は、放射線または毒性化合物への曝露からなる、請求項８に記載の使用。
【請求項１１】
前記使用の対象は、ヒトである、請求項２、３、および８〜１０に記載の使用。
【請求項１２】
前記細胞死または老化に関連する障害は、アルツハイマー病である、請求項９に記載の使用。
【請求項１３】
前記細胞死または老化に関連する障害は、パーキンソン病である、請求項９に記載の使用。
【請求項１４】
前記細胞死または老化に関連する障害は、多発性硬化症である、請求項９に記載の使用。
【請求項１５】
前記細胞死または老化に関連する障害は、筋委縮性側索硬化症（ＡＬＳ）である、請求項９に記載の使用。
【請求項１６】
前記細胞死または老化に関連する障害は、ハンチントン病である、請求項９に記載の使用。
【請求項１７】
前記細胞死または老化に関連する障害は、筋ジストロフィーである、請求項９に記載の使用。
【請求項１８】
前記医薬組成物は、癌の化学療法を受けている、もしくは受けようとしている対象への投与用である、請求項２に記載の使用。
【請求項１９】
前記細胞死または老化に関連する障害は、卒中、心筋梗塞、脊髄損傷、またはアルコール症をである、請求項９に記載の使用。